(57)【要約】【課題】入金された現金にリジェクトが発生した場合、回収庫への収納額が売上金として入力された額になるようにする。【解決手段】入金された現金を、釣銭と売上に分けて釣銭用収納庫と回収庫に収納したとき、回収庫への収納額が事前に売上金として入力された額に達しないときにその不足額分を釣銭用収納庫から移動させて入力した売上金額と回収庫内の収納額とを一致させるようにする。【選択図】        図１
2008077336.tif 000002
【特許請求の範囲】
【請求項１】
入金時に投入された現金を鑑別部で鑑別、計数して一時保留部に一時保留し、入金が確定すると前記一時保留部に一時保留した現金を、釣銭に使用する現金を収納する釣銭用収納庫および売上金としての現金を回収する回収庫に収納する現金管理装置において、
前記一時保留部の現金を釣銭用収納庫および回収庫に収納したとき、前記回収庫に収納した現金が事前に入力された売上金額に達しない場合、その不足額分の現金を前記釣銭用収納庫から前記回収庫へ移動させることを特徴とする現金管理装置。
【請求項２】
請求項１記載の現金管理装置において、
釣銭用収納庫から回収庫への現金の移動処理後、該回収庫により収納された額が売上金として入力された額に達していないときには、その不足額を売上未収納金として記憶部に記憶することを特徴とする現金管理装置。
【請求項３】
請求項２記載の現金管理装置において、
釣銭用収納庫から回収庫に移動処理しても売上未収納金が発生した場合、管理者によって釣銭用収納庫への釣銭の補充が行われ、その補充が完了した後に、前記売上未収納金がある場合には、売上未収納金に該当する額の現金を釣銭用収納庫から回収庫に移動させることを特徴とする現金管理装置。
【請求項４】
請求項２記載の現金管理装置において、
次の入金処理が行われ、それによって釣銭用収納庫に現金が収納された場合には、前回の入金処理の際に発生した売上未収納金に該当する額の現金を釣銭用収納庫から回収庫に移動させることを特徴とする現金管理装置。
【発明の詳細な説明】
【技術分野】
【０００１】
本発明は、流通店舗等に設置され、レジスタにセットするための釣銭準備金の出金や、レジスタから回収した現金の入金等を行う現金管理装置に関する。
【背景技術】
【０００２】
従来のこの種の現金管理装置として、小売店の店舗に設置されたレジスタに収納するための釣銭用の硬貨及び紙幣を紙幣処理機及び硬貨処理機の釣銭用硬貨収納庫及び釣銭用硬貨収納庫から出金する出金機能、レジスタから回収した売上金等の硬貨及び紙幣を入金し、釣銭分の硬貨及び紙幣は釣銭用硬貨収納庫及び釣銭用紙幣収納庫に収納すると共に、売上分の硬貨及び紙幣は硬貨回収庫及び紙幣回収庫に収納する入金機能等を有する装置が提案されている（例えば、特許文献１参照）。
【特許文献１】特開２００５−０３８０６２号公報
【発明の開示】
【発明が解決しようとする課題】
【０００３】
しかしながら、上述した従来の技術においては、以下の問題がある。
この種の現金管理装置では、利用者により投入された現金（紙幣および硬貨）は、鑑別部で鑑別、計数され、一時保留部に保留された後、入金が確定すると、入金開始時に入力した釣銭金収納予定額と売上金収納予定額に基づいて、釣銭収納庫と回収庫にそれぞれ収納される。ここで、釣銭金収納予定額は、各レジ、各店舗が事前に現金管理装置から借用していた釣銭用現金の返却分であり、また売上金収納予定額は、実際の売上額として回収庫に入金され、警備会社等を通じて銀行等へ送金される現金である。
【０００４】
この現金管理装置では、入金が確定した現金を釣銭用収納庫と回収庫とに収納する際に、どちらを優先して収納するかが予め設定されている。
釣銭用収納庫優先の場合、一時保留部の現金のうち釣銭金収納予定額分だけ釣銭収納庫に回収した後、売上金収納予定額の現金を回収庫に回収するものであるが、釣銭収納庫や回収庫に搬送する途中でリジェクトが発生すると、そのリジェクトの現金はリジェクト庫に搬送されて収納されるため、結果として回収庫に収納される現金は売上金収納予定額より少なくなり、現金管理装置の利用者（レジ担当者等）が正しく現金を投入しているにもかかわらず、回収庫に利用者が属する店舗、レジの正しい売上額が収納されないことになって、売上現金の不足が発生してしまうことになる。
【０００５】
一方、回収庫優先の場合は、売上金収納予定額の現金を回収庫に回収した後、一時保留部の現金のうち釣銭金収納予定額分だけ釣銭収納庫に回収するので、この回収庫優先では、入金が確定した現金を釣銭収納庫や回収庫に搬送する途中でリジェクトが発生した場合、釣銭収納庫に収納する釣銭用の現金は不足しても、回収庫に収納する売上金は不足しないようにすることが可能であるが、例えば高額金種のリジェクトが連続して発生することによりリジェクト額が大きくなると、やはり回収庫に収納する現金が売上金収納予定額より少なくなり、売上金が不足することになる。
【０００６】
上述したように現金管理装置内の現金は、管理上、回収庫内の現金は警備会社等のものであり、釣銭収納庫内、リジェクト庫内およびその他の現金については現金処理装置を利用する店舗等のものとなっている。
そのため、入金時に入力した売上金収納予定額と実際に回収庫に入金された売上金とに差があると、売上金の管理上問題がある。例えば、回収庫内の現金が不足しているときに、警備会社等によって売上金（回収庫）の回収が行われると、店舗側としては売上金を正しく入金しているにもかかわらず売上金の一部のみしか銀行へ入金されないという問題がある。
【０００７】
本発明は、このような問題を解決することを課題とする。
【課題を解決するための手段】
【０００８】
そこで本発明は、入金時に投入された現金を鑑別部で鑑別、計数して一時保留部に一時保留し、入金が確定すると前記一時保留部に一時保留した現金を、釣銭に使用する現金を収納する釣銭用収納庫および売上金としての現金を回収する回収庫に収納する現金管理装置において、前記一時保留部の現金を釣銭用収納庫および回収庫に収納したとき、前記回収庫に収納した現金が事前に入力された売上金額に達しない場合、その不足額分の現金を前記釣銭用収納庫から前記回収庫へ移動させることを特徴とする。
【発明の効果】
【０００９】
このようにした本発明は、入金された現金にリジェクトが発生して回収庫への収納額が事前に売上金として入力された額に達しない場合に、その不足分を、釣銭用収納庫から回収庫に移動できるようにしているため、入力した売上金額と回収庫内の収納額を一致させることができ、正しい売上金額の管理を行うことができるという効果が得られる。
【発明を実施するための最良の形態】
【００１０】
以下、図面を参照して本発明による実施例を説明する。
【実施例】
【００１１】
図１は実施例を示す現金管理装置の構成を示すブロック図である。
図において、１は主制御部であり、現金管理装置内の各部を制御して各種の処理等を実行する。
入金額、出金額、紙幣・硬貨各釣銭用収納庫内の額、紙幣・硬貨回収庫内の額を管理し、記憶部２内のカウンタテーブルに格納する（後述する紙幣取扱部、硬貨取扱部の制御部が行ってもよい。）。
【００１２】
前記記憶部２には、主制御部１が実行するプログラムや主制御部１による処理結果等が格納される。また、記憶部２はカウンタテーブルを有し、入金処理・出金処理の履歴と釣銭用収納庫の入出金履歴、回収庫の入金履歴を格納している。
ここで、カウンタテーブルに記憶（登録）される入金処理・出金処理の履歴の例は、図２に示す如くである。図示する如く、処理通番、店舗Ｎｏ、レジＮｏ、利用者ＩＤ、処理日時、区分、処理金額、金種、釣銭収納額、売上収納額、売上未収納額等により構成される。図において、処理通番とは、処理ごとに付与される情報であり、通し番号等である。店舗Ｎｏとは、装置利用時にパスするＩＤカードから読み取った情報であり、店舗ごとに集計する際に利用される。レジＮｏとは、装置利用時にパスするＩＤカードから読み取った情報であり、レジスタごとに集計する際に利用される。利用者ＩＤとは、利用者ごとに付与されたＩＤ番号等である。処理日時とは、入金又は出金処理を行った日時である。
【００１３】
さらに、区分とは入金／出金処理区分であり、入金処理であるか出金処理であるかを区分けする情報であり、本実施例では、リジェクト紙幣を強制的に入金処理した場合も、それを示す「リ入」の情報が書き込まれるものとなっている。処理金額とは、入金または出金処理された金額であり、万、五千、・・・、―等の金種エリアに枚数がそれぞれ書き込まれる。
【００１４】
釣銭収納額とは、計数後、収納庫に実際に収納された金額である。売上収納額とは、計数後、収納庫に実際に収納された金額である。売上未収納とは、入金計数後に決定した収納予定額と、実際の売上収納額が異なる場合の差額である。
つぎに、３は表示部であり、ＬＣＤ等の表示画面を備えており、各種の処理操作の案内および入金処理や出金処理の金種別の金額やその合計金額等が表示される。
【００１５】
４はカードリーダであり、レジスタに現金を入出金するレジ担当者や売上げの締めを行う管理者等がそれぞれ携帯するＩＤカードの情報を読み取る機能を有している。ＩＤカードは、利用者区分情報（レジ担当者、管理者、現金回収者）を有し、該当者に配布されるものである。なお、レジ担当者用のＩＤカードは、レジを特定する情報を有し、レジ毎又はレジ担当ごとに用意する。また、レジ担当ごとに用意する場合は、レジ担当者が複数のレジを使用する際には、使用するレジスタ毎に複数のＩＤカードを用意する。
【００１６】
５は入力部であり、レジ担当者や管理者が入金処理や出金処理、締め上げ処理、回収処理等を行うことを指示するための操作キーおよび出金額等を入力するためのテンキー等により構成されている。前記表示部３にタッチキー等による入力機能を持たせてもよい。
６は伝票印刷部であり、現金管理装置による入金処理や出金処理の金額（金種別の枚数を含む。）等を伝票に記録して出力する。
【００１７】
７は紙幣取扱部であり、以下のように構成されている。
入金処理時にレジスタから回収した紙幣を一括して受け入れると共に出金処理時に釣銭準備金としての紙幣を排出するシャッタを有する紙幣入出金口７１と、この紙幣入出金口７１に受け入れた紙幣を１枚ずつ分離する図示しない分離部と、紙幣の真偽、正損、金種等を鑑別すると共に鑑別した紙幣を金種毎に計数する紙幣鑑別部７２と、この紙幣鑑別部７２で鑑別、計数された紙幣を集積して一時保留する一時保留部７３と、レジスタ用の釣銭準備金として使用する特定金種（例えば、五千円、千円）の紙幣を金種別に収納する釣銭用紙幣収納庫７４と、入金紙幣を金種別に収納する紙幣回収庫７５と、出金時に金種不明と鑑別された紙幣、入金時の損券および入金確定後のリジェクト紙幣等を収納する紙幣リジェクト庫７６と、これらの間で紙幣を搬送ベルト等で挟持して搬送する搬送路と、紙幣取扱部７からの釣銭用紙幣収納庫７４および紙幣回収庫７５の着脱を個別に確認するためのセンサと、図示しない記憶部に格納された制御プログラムに基づいて紙幣取扱部７全体の動作制御を行う制御部７７を備えている。
【００１８】
なお、一時保留部７３には紙幣を繰出す繰出し手段が設けられている。
前記各釣銭用紙幣収納庫７４は、収納する紙幣の金種毎に保管基準額が設定されており、その保管基準額を保つために入金処理された紙幣を収納するようになっている。
この釣銭用紙幣収納庫７４にも紙幣の集積手段が紙幣を搬送路に繰出す繰出し手段と共に設けられている。
【００１９】
また、紙幣回収庫７５は必要に応じて交換されるものであって、入金処理された紙幣が金種別に収納され、各紙幣回収庫７５には、ニアフルやフルを検知するセンサが設けられており、これらのセンサにより紙幣の有無や、満杯状態を確認できるようになっている（カウンタテーブルの履歴により把握することも可）。
さらに、紙幣回収庫７５には、記憶部（識別情報保有部）７５ａが設けられていて、この記憶部７５ａに紙幣回収庫７５を識別するためのＩＤ番号等の固有の識別情報が記憶され、制御部７７または主制御部１がこの識別情報を認識して紙幣回収庫７５を特定するものとなっている。
【００２０】
また、紙幣取扱部７は、装置からの紙幣回収庫７５の着脱を確認するためのセンサを有するほか動作中や締め上げ処理前の装置からの取り外しを防止するための電磁ロックを有する。
８は硬貨取扱部であり、以下のように構成されている。
レジスタから回収した硬貨を一括して受け入れるシャッタを有する硬貨入金口８１と、この硬貨入金口８１に受け入れた硬貨を１枚ずつ分離する図示しない分離部と、硬貨の真偽、正損、金種等を鑑別すると共に鑑別した硬貨を金種毎に計数する硬貨鑑別部８２と、この硬貨鑑別部８２で鑑別、計数された硬貨を一時保留する一時保留部８３と、レジスタ用の釣銭準備金として使用する硬貨を金種別に収納する複数の釣銭用硬貨収納庫８４、入金硬貨を金種別に収納する硬貨回収庫８５と、釣銭用の硬貨を出金するための硬貨出金庫８６と、硬貨鑑別部８２で偽硬貨等と鑑別された不良硬貨が搬送されて返却される（収納庫を設けて集積してもよい。）硬貨リジェクト口８７と、硬貨取扱部８からの釣銭用硬貨収納庫８４および硬貨回収庫８５の着脱を個別に確認するためのセンサと、図示しない記憶部に格納された制御プログラムに基づいて硬貨取扱部８全体の動作制御を行う制御部８８を有している。
【００２１】
なお、硬貨一時保留部８３には硬貨を繰出す繰出し手段が設けられており、ここから、金額確認にてＮＧとなった場合は、硬貨出金庫８６に硬貨を搬送し、ＯＫとなった場合は、硬貨回収庫８５に硬貨を搬送する。
ここで一時保留部８３、釣銭用硬貨収納庫８４、硬貨回収庫８５および硬貨出金庫８６は金種毎に分けて硬貨を集積、収納できるように内部が区切られている。
【００２２】
また、硬貨入金口８１と硬貨鑑別部８２との間には分離部により分離された硬貨を搬送する搬送ベルト等による搬送路が設けられ、釣銭用硬貨収納庫８４と硬貨回収庫８５および硬貨出金庫８６との間には、釣銭用硬貨収納庫８４から排出される硬貨を硬貨回収庫８５と硬貨出金庫８６のいずれかに導く振分け手段と、通過する硬貨を金種毎に計数する計数手段が設けられている。
【００２３】
また、前記各釣銭用硬貨収納庫８４は、収納する硬貨の金種毎に保管基準額が設定されており、その保管基準額を保つために入金処理された硬貨を収納するようになっている。
この釣銭用硬貨収納庫８４にも硬貨を搬送路に繰出す繰出し手段が設けられている。
また、硬貨回収庫８５は必要に応じて交換されるものであって、入金処理された紙幣が金種別に収納され、各硬貨回収庫８５には、ニアフルやフルを検知するセンサが設けられており、これらのセンサにより硬貨の有無や、満杯状態を確認できるようになっている（カウンタテーブルの履歴により把握することも可）。
【００２４】
さらに、硬貨回収庫８５には記憶部（識別情報保有部）８５ａが設けられていて、この記憶部８５ａには硬貨回収庫８５を識別するためのＩＤ番号等の固有の識別情報が記憶され、制御部８８または主制御部１がこの識別情報を認識して硬貨回収庫８５を特定するものとなっている。
また、硬貨取扱部８は、装置からの硬貨回収庫８５の着脱を確認するためのセンサを有するほか動作中や締め上げ処理前の装置からの取り外しを防止するための電磁ロックを有する。
【００２５】
なお、前記した紙幣取扱部７の制御部７７および硬貨取扱部８の制御部８８は、主制御部１の指示により紙幣取扱部７および硬貨取扱部８を動作させるものとなっている。  
上述した構成の作用について説明する。  
ここで、前記および後述において説明に用いる各処理の意味の説明をしておく。
出金処理とは、レジ担当者用の機能であって、レジスタにセットするための釣銭を出金するための機能であり、要求された金種・金額（または枚数）の現金を釣銭用紙幣と釣銭用硬貨の各収納庫７４、８４から出金する。
【００２６】
入金処理とは、レジ担当者用の機能であって、レジスタを締めた後にレジスタ内の現金を収納する為の機能であり、紙幣入出金口７１または硬貨入金口８１に投入された現金を収納する処理である。収納する現金は、釣銭用紙幣と釣銭用硬貨の各収納庫７４、８４と紙幣と硬貨の各回収庫７５、８５に振り分けて収納する。
移動処理とは、管理者用の機能であって、現金収納時のリジェクトにより本来は収納されるべき売上金、特に紙幣が紙幣回収庫７５に入っていない場合（売上未収納発生）に、未収金額分の現金を釣銭用紙幣と釣銭用硬貨の各収納庫７４、８４から紙幣と硬貨の各回収庫７５、８５に強制的に移動させる処理である。
【００２７】
なお、以下の動作の説明において各部の動作は、前記のように記憶部２等に格納された制御プログラムに基づいて主制御部１や制御部７７、８８により制御されるものとする。
図３はレジ担当者がレジスタから回収した現金を入金させる場合の入金処理の手順を示すフローチャートで、図中のＳはステップを示し、以下このステップに従って説明する。
なお、入金された現金を、釣銭に使用する現金を収納する釣銭用紙幣と釣銭用硬貨の各収納庫もしくは売上金として回収する紙幣と硬貨の各回収庫に搬送して収納する入金処理は、売上金回収優先での入金処理であるか釣銭収納優先での入金処理かが事前に設定される。前者は、事前に売上金として入力された金額が各回収庫に収納後、各釣銭用収納庫に収納を行うものであり、後者は、事前に釣銭収納額として入力された金額が各釣銭収納庫に収納後、各回収庫への収納を行う処理である。
【００２８】
レジ担当者（利用者）が自分のＩＤカードを現金処理装置に設けられているカード挿入排出口に挿入すると、カードリーダ５がＩＤカードから利用者の区分、レジＮｏを読取る（Ｓ１）。利用者区分は、レジ担当者、管理者、現金回収者がある。レジＮｏはＩＤカードには記録せず、個人ＩＤと関連付けて記憶しても、画面入力させてもよい。
また、レジ担当者はカード挿入後、操作部４を操作して自分の個人ＩＤ（利用者ＩＤ）、パスワードを入力する（Ｓ２）。
【００２９】
主制御部１はレジ担当者が入力した個人ＩＤ、パスワードを予め記憶部２等に登録されている個人ＩＤ、パスワードと照合し、正当性が確認された場合、ＩＤカードから読取った利用者区分に基づき、レジ担当者が操作可能な「出金」、「入金」を選択するメニュー画面を表示部３に表示し（Ｓ３）、レジ担当者に選択させる。
ここで利用者が入力部５を操作して「入金」を選択すると、主制御部１は「入金」の選択を受付け（Ｓ４）、主制御部１は釣銭金収納予定額と売上金収納予定額を入力させる画面を表示部３に表示して、レジ担当者に入力させる。
【００３０】
そして、紙幣取扱部７および硬貨取扱部８は主制御部１の指示により紙幣入出金口７１および硬貨入金口８１に設けられているシャッタをそれぞれ開放して、レジ担当者がレジスタから回収してきた現金である紙幣および硬貨を受入れ、紙幣鑑別部７２および硬貨鑑別部８２で鑑別、計数して紙幣一時保留部７３および硬貨一時保留部８３にそれぞれ一時保留する（Ｓ５）。
【００３１】
受入れたすべての紙幣および硬貨を計数して一時保留すると、主制御部１は金種毎の枚数及び金額、全金種の合計額を計数結果として表示部３に表示し、レジ担当者に金額を確認させて収納の可否（ＯＫ／ＮＧ）を入力させる（Ｓ６）。
ＮＧの場合、一時保留した硬貨は硬貨リジェクト口８７から、紙幣は紙幣入出金口７１からレジ担当者に返却する（Ｓ７）。
【００３２】
ＯＫの場合、一時保留した紙幣および硬貨の内、釣銭（釣銭金収納予定額）の分を釣銭用紙幣収納庫７４および釣銭用硬貨収納庫８４に収納し、売上金（売上金収納予定額）の分を紙幣回収庫７５および硬貨回収庫８５に収納する（Ｓ８）。
この場合、釣銭収納優先であれば、先に釣銭の分を釣銭用紙幣収納庫７４および釣銭用硬貨収納庫８４に収納した後、売上金の分を紙幣回収庫７５および硬貨回収庫８５に収納し、また売上金収納優先であれば、先に売上金の分を紙幣回収庫７５および硬貨回収庫８５に収納した後、釣銭の分を釣銭用紙幣収納庫７４および釣銭用硬貨収納庫８４に収納する。
【００３３】
この収納において、硬貨は硬貨一時保留部８３から釣銭用紙幣収納庫７４または硬貨回収庫８５に直接落下させて収納させる。また、紙幣は紙幣鑑別部７２に搬送されて金種鑑別や搬送異常の検知等が行われた後、釣銭用紙幣収納庫７４および紙幣回収庫７５に搬送されて収納されるが、紙幣鑑別部７２で金種不明と鑑別された紙幣や搬送異常が検知された紙幣はリジェクト紙幣として紙幣リジェクト庫に搬送されて収納される。
【００３４】
収納が終了すると、主制御部１は、前記紙幣回収庫７５あるいは釣銭用紙幣収納庫７４あるいは紙幣回収庫７５への紙幣の収納においてリジェクト紙幣が発生したか否か（ＹＥＳ／ＮＯ）を判断する（Ｓ９）。
ＮＯの場合、紙幣回収庫７５および硬貨回収庫８５および釣銭の分の釣銭用紙幣収納庫７４および釣銭用硬貨収納庫８４への収納が終了すると、主制御部１は今回の処理結果として今回入金した金種毎の紙幣および硬貨の枚数を記憶部２のカウンタテーブルの入金処理歴を更新し（Ｓ１０）、さらに伝票記録部６で処理結果を図５に示すような伝票に記録してレジ担当者に発行する（Ｓ１１）。この伝票中の店舗Ｎｏ、レジＮｏ、利用者ＩＤ等は前記カウンタテーブルの説明の通りである。
【００３５】
なお、このカウンタテーブルの更新は伝票発行後に行うようにしてもよい。
ＹＥＳの場合、つまり、リジェクトが発生した場合、売上収納予定金額と実収納額の差異分の紙幣を釣銭用紙幣収納庫７４から繰出し、鑑別計数した後、紙幣回収庫７５へ収納することで、差異分の紙幣を釣銭用紙幣収納庫７４から紙幣回収庫７５へ移動する（Ｓ１２）。但し、硬貨に余裕がある場合、差異分を釣銭用硬貨収納庫８４から硬貨回収庫８５に移動するようにしてもよい。
【００３６】
Ｓ１３で移動処理を行った場合、主制御部１は不足分の移動が完了したか否か（ＯＫ／ＮＧ）を判断する（Ｓ１３）。
ＯＫの場合はＳ１５に進むが、ＮＧの場合つまり各釣銭用紙幣収納庫７４内の有高不足等で差異が解消しきれずに未収の残高がでた場合は、該当店舗の売上未収納金としてその額をカウンタテーブルに追加して更新する（Ｓ１４）。
【００３７】
該当店舗の売上未収納金額をカウンタテーブルに追加して更新が終了すると、主制御部１は今回の処理結果として今回入金した金種毎の紙幣および硬貨の枚数を記憶部２のカウンタテーブルの入金処理歴を更新し（Ｓ１５）、さらに伝票記録部６で処理結果を図５に示すような伝票に記録してレジ担当者に発行して終了する（Ｓ１６）。
ところで、上記のように売上未収納金が発生した場合、その売上未収納金額分の紙幣回収庫７５に補填する必要がある。この場合、次の入金処理が行われて終了し、それによって釣銭用紙幣収納庫７４および釣銭用硬貨収納庫８４内の現金が収納された場合には、売上未収納金分について、釣銭用紙幣収納庫７４および釣銭用硬貨収納庫８４内の現金を紙幣回収庫７５および硬貨回収庫８５に移動する。
【００３８】
また、上記のように売上未収納金が発生するケースは、釣銭用紙幣収納庫７４および釣銭用硬貨収納庫８４内の現金が不足していることでもあるので、釣銭用紙幣収納庫７４および釣銭用硬貨収納庫８４への紙幣および硬貨の補充が必要となる。この釣銭用紙幣収納庫７４および釣銭用硬貨収納庫８４への紙幣および硬貨の補充が行われた場合、釣銭用の紙幣および硬貨に余裕が生じるので、前記の売上未収納金に該当する額の現金を釣銭用紙幣収納庫７４および釣銭用硬貨収納庫８４から紙幣回収庫７５および硬貨回収庫８５に移動処理することができる。
【００３９】
以下にその移動処理を図４のフローチャートを用いて説明する。
管理者が自分のＩＤカードを現金管理装置に設けられているカード挿入排出口に挿入すると、カードリーダ５がＩＤカードから利用者の区分、レジＮｏを読取る（ＭＳ１）。  利用者区分は、レジ担当者、管理者、現金回収者がある。レジＮｏはＩＤカードには記録せず、個人ＩＤと関連付けて記憶しても、画面入力させてもよい。
【００４０】
また、管理者はカード挿入後、操作部４を操作して自分の個人ＩＤ（利用者ＩＤ）、パスワードを入力する（ＭＳ２）。
主制御部１は管理者が入力した個人ＩＤ、パスワードを予め記憶部２等に登録されている個人ＩＤ、パスワードと照合し、正当性が確認された場合、ＩＤカードから読取った利用者区分に基づき、管理者が操作可能な「移動」を選択するメニュー画面を表示部３に表示し（ＭＳ３）、管理者に選択させる。
【００４１】
ここで利用者が入力部５を操作して「移動」を選択すると、主制御部１は「移動」の選択を受付ける（ＭＳ４）。
表示画面にリジェクト等で発生した分の未収納金額を表示し（ＭＳ５）、移動処理の実行を行うかを確認（確認／取消）する（ＭＳ６）。ここで、取消を選択すると処理は終了する。
【００４２】
確認を選択すると、当該未収納金額分が釣銭用紙幣収納庫７４および釣銭用硬貨収納庫８４から紙幣および硬貨を繰出して紙幣回収庫７５および硬貨回収庫８５に移動し（ＭＳ７）、伝票記録部６で処理結果を図６に示すような伝票に記録して利用者に発行して終了する（ＭＳ８）。
この移動伝票には、店舗番号、管理者のＩＤ番号、金種別の移動枚数、その合計さらに売上金未収納額の紙幣と硬貨のそれぞれが記録される。
【００４３】
なお、釣銭用紙幣収納庫７４および釣銭用硬貨収納庫８４から紙幣回収庫７５および硬貨回収庫８５に現金の移動が完了したあと、紙幣回収庫７５および硬貨回収庫８５の売上未収納金が０になるとその売上未収納金の記録は記憶部２、７５ａ、８５ａから削除される。
【図面の簡単な説明】
【００４４】
【図１】実施例を示す装置の構成ブロック図
【図２】カウンタテーブルの説明図
【図３】入金処理のフローチャート
【図４】移動処理のフローチャート
【図５】入金伝票例の説明図
【図６】移動伝票例の説明図
【符号の説明】
【００４５】
１  主制御部
２  記憶部
３  表示部
４  カードリーダ
５  入力部
６  伝票印刷部
７  紙幣取扱部
７１  紙幣入出金口
７２  紙幣鑑別部
７３  一時保留部
７４  釣銭用紙幣収納庫
７５  紙幣回収庫
７５ａ  記憶部
７６  紙幣リジェクト庫
７７  制御部
８  硬貨取扱部
８１  硬貨入金口
８２  硬貨鑑別部
８３  一時保留部
８４  釣銭用硬貨収納庫
８５  硬貨回収庫
８５ａ  記憶部
８６  硬貨出金庫
８７  硬貨リジェクト口
８８  制御部
【図１】
2008077336.tif 000003
【図２】
2008077336.tif 000004
【図３】
2008077336.tif 000005
【図４】
2008077336.tif 000006
【図５】
2008077336.tif 000007
【図６】
2008077336.tif 000008